(57)【特許請求の範囲】
【請求項１】
複数の原稿が載置される原稿トレイと、
前記原稿トレイに積載された複数の原稿を搬送する搬送手段と、
前記搬送手段によって搬送される原稿の画像を読み取る読取手段と、
前記搬送手段によって搬送される原稿の重送を検知する検知手段と、
前記検知手段によって原稿の重送が検知されたことに従って前記搬送手段による当該原稿の搬送を停止させるよう制御する制御手段と、
前記搬送手段によって搬送された第１の原稿の重送が前記検知手段によって検知された場合、重送と検知された前記第１の原稿が前記原稿トレイに再度載置され、前記搬送手段による原稿の搬送再開後において前記第１の原稿に対してのみ重送によって前記搬送手段による当該原稿の搬送を停止させないための第１の指示を前記第１の原稿の搬送再開前にユーザから受け付けるための画面を表示する表示手段と、
を有することを特徴とする原稿読取装置。
【請求項２】
前記表示手段によって表示された前記画面を介して、ユーザからの指示を受け付ける受付手段を有し、
前記制御手段は、前記第１の指示を受け付けた場合、前記搬送手段による原稿の搬送再開後において、前記第１の原稿に対しては、原稿の重送によって前記搬送手段による当該原稿の搬送を停止させないよう制御し、前記第１の原稿以外の原稿に対しては、前記検知手段により原稿の重送が検知されると、前記搬送手段による当該原稿の搬送を停止させるよう制御することを特徴とする請求項１記載の原稿読取装置。
【請求項３】
前記表示手段は、前記第１の指示と、前記第１の原稿及び前記第１の原稿以降の原稿に対しても重送によって前記搬送手段による当該原稿の搬送を停止させないための第２の指示とを前記第１の原稿の搬送再開前に選択的に受け付けるための画面を表示し、
前記制御手段は、前記受付手段によって前記第２の指示を受け付けた場合、前記搬送手段による原稿の搬送再開後において、原稿の重送によって前記搬送手段による当該原稿の搬送を停止させないよう制御することを特徴とする請求項２に記載の原稿読取装置。
【請求項４】
前記搬送手段によって搬送される原稿の画像を前記読取手段によって読み取らせるジョブを実行する実行手段を更に有し、
前記制御手段は、前記受付手段によって前記第２の指示を受け付けた場合、前記搬送手段による原稿の搬送再開後において、前記実行手段による前記ジョブの実行が完了するまで、原稿の重送によって前記搬送手段による当該原稿の搬送を停止させないよう制御し、前記実行手段によって前記ジョブの後に実行されるジョブで搬送される原稿の重送が前記検知手段によって検知されたことに従って前記搬送手段による当該原稿の搬送を停止させるよう制御することを特徴とする請求項３に記載の原稿読取装置。
【請求項５】
複数の原稿が載置される原稿トレイと、前記原稿トレイに載置された複数の原稿を搬送する搬送手段と、前記搬送手段によって搬送される原稿の画像を読み取る読取手段と、前記搬送手段によって搬送される原稿の重送を検知する検知手段と、を有する原稿読取装置の制御方法であって、
前記検知手段によって原稿の重送が検知されたことに従って前記搬送手段による当該原稿の搬送を停止させるよう制御する制御工程と、
前記搬送手段によって搬送された第１の原稿の重送が前記検知手段によって検知された場合、重送と検知された前記第１の原稿が前記原稿トレイに再度載置され、前記搬送手段による原稿の搬送再開後において前記第１の原稿に対してのみ重送によって前記搬送手段による当該原稿の搬送を停止させないための指示をユーザから受け付けるための画面を表示する表示工程と、
を有することを特徴とする原稿読取装置の制御方法。
【請求項６】
請求項５に記載の原稿読取装置の制御方法を、コンピュータに実行させるためのプログラム。
【請求項７】
請求項６に記載のプログラムを格納した、コンピュータで読み取り可能な記憶媒体。
【発明の詳細な説明】
【技術分野】
【０００１】
本発明は、原稿の重送を検知する原稿読取装置、原稿読取装置の制御方法、プログラム、及び記憶媒体に関する。
【背景技術】
【０００２】
原稿の画像を読み取るために自動原稿搬送装置（ＡＤＦ：Ａｕｔｏ  Ｄｏｃｕｍｅｎｔ  Ｆｅｅｄｅｒ）から原稿を搬送し、搬送された原稿に重送が発生したことを超音波センサ等の重送検知センサによって検知する画像読取装置がある。
【０００３】
特許文献１には、重送検知センサによって原稿の重送を検知したことに従って、原稿の搬送を停止する画像読取装置が記載されている。この画像読取装置は、原稿の画像の読み取りを再開するか、又は、原稿の画像の読み取りを中止するかをユーザに選択させるための画面を表示する。
【先行技術文献】
【特許文献】
【０００４】
【特許文献１】特開２００８−２７１５３７号公報
【発明の概要】
【発明が解決しようとする課題】
【０００５】
例えば、封筒のように２枚のシートが重なっている原稿の画像を読み取るために、ＡＤＦから原稿を搬送した場合、原稿が正しく搬送されていても、重送検知センサによって原稿の重送が検知されてしまう。原稿の搬送が停止された後、原稿の画像の読み取りを再開するために後続の原稿を搬送すると、重送検知センサによって原稿の重送が再び検知されてしまう。
【０００６】
上記特許文献１に記載の画像読取装置は、重送検知センサによって原稿の重送を検知するたびに、その都度、原稿の搬送や原稿の画像の読み取りを再開するためのユーザの指示を待ってから、原稿の搬送や原稿の画像の読み取りを再開する。封筒のように２枚のシートが重なっている原稿の画像を読み取る場合、原稿が正しく搬送されたとしても原稿の重送が検知されるため、原稿の搬送や原稿の画像の読み取りを再開するためにユーザの指示が毎回必要となり煩雑である。
【０００７】
本発明は、上記の課題に鑑みてなされたものである。搬送された原稿の重送が検知されたことに基づいて、再び搬送される原稿の重送によって当該原稿の搬送を停止させないための指示をユーザから受け付けるための画面を表示する装置や方法等を提供することにある。
【課題を解決するための手段】
【０００８】
上記目的を達成するために本発明の一態様に係る原稿読取装置は以下のような構成を備える。即ち、複数の原稿が載置される原稿トレイと、前記原稿トレイに積載された複数の原稿を搬送する搬送手段と、前記搬送手段によって搬送される原稿の画像を読み取る読取手段と、前記搬送手段によって搬送される原稿の重送を検知する検知手段と、前記検知手段によって原稿の重送が検知されたことに従って前記搬送手段による当該原稿の搬送を停止させるよう制御する制御手段と、前記搬送手段によって搬送された第１の原稿の重送が前記検知手段によって検知された場合、重送と検知された前記第１の原稿が前記原稿トレイに再度載置され、前記搬送手段による原稿の搬送再開後において前記第１の原稿に対してのみ重送によって前記搬送手段による当該原稿の搬送を停止させないための第１の指示を前記第１の原稿の搬送再開前にユーザから受け付けるための画面を表示する表示手段と、
を有することを特徴とする。
【発明の効果】
【０００９】
本発明によれば、ジョブの実行中に第１の原稿の重送を検知したことに従って原稿の搬送を停止し、第１の指示を受け付けると、搬送再開後において第１の原稿に対してのみ、重送を検知したことによるユーザの意図しない処理が行われることを防ぐことができる。
【図面の簡単な説明】
【００１０】
【図１】本実施形態に係るシステムを示すブロック図である。
【図２】本実施形態に係るＭＦＰの構成を示す断面図である。
【図３】本実施形態に係るＭＦＰの操作部の上面図である。
【図４】第１の実施形態に係る画面を説明するための図である。
【図５】第１の実施形態に係る画面を説明するための図である。
【図６】第１の実施形態に係る制御例を説明するためのフローチャートである。
【図７】第１の実施形態に係る制御例を説明するためのフローチャートである。
【図８】第１の実施形態に係る画面を説明するための図である。
【図９】第２の実施形態に係る制御例を説明するためのフローチャートである。
【図１０】第２の実施形態に係る画面を説明するための図である。
【発明を実施するための形態】
【００１１】
以下、本発明の実施形態について添付図面を参照して詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
［第１の実施形態］
本発明の第１の実施形態に係るシステムについて図１を用いて説明する。
【００１３】
第１の実施形態では、第１の原稿の画像、及び当該第１の原稿の後に搬送される第２の原稿の画像を読み取るジョブを実行する。当該ジョブの実行中において、重送検知センサによって第１の原稿の重送を検知したことに従ってスキャンを中断する。そして、重送検知センサによって第２の原稿の重送が検知された際に、スキャンを中断させないための指示をユーザから受け付けた場合に、第２の原稿の重送が検知されたことによってスキャンを中断しないよう制御するものである。
【００１４】
以下、詳細に説明する。
【００１５】
本実施形態に係るシステムは、原稿の画像を読み取る画像読取装置（原稿読取装置とも呼ぶ）の一例であるＭＦＰ２００１と、外部装置であるＰＣ（コンピュータ）２００３、ファクシミリ２００４で構成される。尚、ＭＦＰとは、Ｍｕｌｔｉ  Ｆｕｎｃｔｉｏｎａｌ  Ｐｅｒｉｐｈｅｒａｌのことである。
【００１６】
尚、ＭＦＰ２００１は、原稿を読み取って画像データを生成する画像読取機能と、生成した画像データに基づいて画像をシートに印刷する印刷機能（コピー機能）を備えている。また、ＭＦＰ２００１は、ＰＣ２００３等の外部装置から印刷ジョブを受信し、当該印刷ジョブに基づいて文字や画像をシートに印刷する印刷機能（ＰＣプリント機能）を備えている。
【００１７】
即ち、ＭＦＰ２００１は画像読取装置としての役割の他に、印刷装置としての役割を果たしている。尚、本実施形態では、ＭＦＰ２００１を画像読取装置の一例として説明するが、画像読取機能があれば、画像読取装置は、原稿を読み取って画像データを生成し、生成した画像データをＰＣ２００３へ送信するスキャナであってもよい。尚、画像読取装置は、生成した画像データをＰＣ２００３へ送信するのではなく、ＵＳＢ（Ｕｎｉｖｅｒｓａｌ  Ｓｅｒｉａｌ  Ｂｕｓ）等の着脱可能な外部メモリに保存するスキャナであってもよい。
【００１８】
ＭＦＰ２００１は、ＰＣ２００３と、ローカルエリアネットワーク等のＬＡＮ２００５（Ｌｏｃａｌ  Ａｒｅａ  Ｎｅｔｗｏｒｋ）を介して接続されており、ＰＣ２００３と通信を行う。
【００１９】
また、ＭＦＰ２００１は、ファクシミリ２００４と、公衆回線２００６を介して接続されており、ファクシミリ２００４と通信を行う。
【００２０】
ＰＣ２００３は、ＬＡＮ２００５等のネットワークを介してＭＦＰ２００１に印刷ジョブを投入する。そして、ＭＦＰ２００１は、ＬＡＮ２００５等のネットワークを介してＰＣ２００３から投入された印刷ジョブを処理する。
【００２１】
尚、本実施形態では、ＭＦＰ２００１とＰＣ２００３がＬＡＮ２００５を介して接続されている例を説明するが、ＭＦＰ２００１とＰＣ２００３はインターネット等のＷＡＮを介して接続されていてもよい。もしくは、ＭＦＰ２００１とＰＣ２００３は、ＵＳＢケーブルを介して接続されてもよい。また、ＭＦＰ２００１とＰＣ２００３は、Ｗｉ−Ｆｉ（Ｗｉｒｅｌｅｓｓ  Ｆｉｄｅｌｉｔｙ）やＢｌｕｅｔｏｏｔｈ（登録商標）などの無線通信によって通信可能に構成されてもよい。
【００２２】
また、ＰＣ２００３は、アプリケーションソフトによって画像データを生成し、生成した画像データをＭＦＰ２００１に送信する。尚、本実施形態では、外部装置としてＰＣ２００３を例に挙げて説明するが、これに限らずに、ＰＤＡ（ｐｅｒｓｏｎａｌ  ｄｉｇｉｔａｌ  ａｓｓｉｓｔａｎｔ）やスマートフォン等の携帯情報端末、ネットワーク接続機器、又は外部専用装置等であっても良い。
【００２３】
ＭＦＰ２００１は、後述するコントローラ部（制御部）１０７、スキャナ部１１１、プリンタ部１２１、ネットワークＩ／Ｆ１４０、ハードディスク（ＨＤＤ）１５０、操作部１６０、及び、回線Ｉ／Ｆ１７０を有する。これらは電気的に接続されており、互いに制御コマンドやデータを送受信する。
【００２４】
通信部の一例であるネットワークＩ／Ｆ１４０は、ＰＣ２００３と制御コマンドや画像データの送受信を行うためのインタフェースである。一方、通信部の一例である回線Ｉ／Ｆ１７０は、コントローラ部１０７を公衆回線２００６に接続するためのインタフェースである。
【００２５】
コントローラ部１０７は、複数の機能ブロックとして、ＣＰＵ１０１、ＲＯＭ１０２、画像処理部１０３、ＲＡＭ１０４、圧縮展開部１０８、スキャナＩ／Ｆ１１０、プリンタＩ／Ｆ１２０、及び、Ｉ／Ｏ制御部１３０を有する。これらは、バスコントローラ１０５を介して電気的に接続されており、互いに制御コマンドやデータを送受信する。
【００２６】
ＣＰＵ１０１は、ＭＦＰ２００１が備える、スキャナ部１１１、プリンタ部１２１、及び、各種ユニット（給送ユニット１２３等）の処理や動作等を制御する。
【００２７】
ＲＯＭ１０２は、読み出し専用のメモリであり、ブートシーケンスやフォント情報等のプログラムを予め記憶している。
【００２８】
ＲＡＭ１０４は、読み出し及び書き込み可能なメモリであり、スキャナ部１１１やネットワークＩ／Ｆ１４０より送られてきた画像データや、各種プログラムや設定情報等を記憶する。尚、ＲＡＭ１０４は、例えば、ＤＲＡＭ（Ｄｙｎａｍｉｃ  Ｒａｎｄｏｍ  Ａｃｃｅｓｓ  Ｍｅｍｏｒｙ）である。
【００２９】
ＲＯＭ１０２又はＨＤＤ１５０には、ＣＰＵ１０１により実行される、後述するフローチャートの各種処理等を実行するために必要な各種の制御プログラムが記憶されている。また、ＲＯＭ１０２又はＨＤＤ１５０には、ユーザインタフェース画面（以下、ＵＩ画面）を含む、後述する操作部１６０の表示部に各種のＵＩ画面を表示させるための表示制御プログラムも記憶されている。ＣＰＵ１０１が、ＲＯＭ１０２又はＨＤＤ１５０に記憶されているプログラムを読み出して、ＲＡＭ１０４に当該プログラムを展開することにより、本実施形態に係る各種動作を実行する。
【００３０】
また、ＣＰＵ１０１が、ネットワークＩ／Ｆ１４０を介してＰＣ２００３から受信したページ記述言語データを解釈し、ラスタイメージデータ（ビットマップ画像データ）に展開する動作を実行するプログラム等もＲＯＭ１０２又はＨＤＤ１５０に記憶されている。これらは、ソフトウェアによって処理される。尚、ページ記述言語（Ｐａｇｅ  Ｄｅｓｃｒｉｐｔｉｏｎ  Ｌａｎｇｕａｇｅ）は、ＰＤＬと略す。
【００３１】
スキャナＩ／Ｆ１１０は画像読取装置であるスキャナ部１１１と接続するためのインタフェースである。一方、プリンタＩ／Ｆ１２０は画像出力装置であるプリンタ部１２１と接続するためのインタフェースである。コントローラ部１０７は、スキャナＩ／Ｆ１１０やプリンタＩ／Ｆ１２０を通じて画像データの同期系／非同期系の変換や制御を行う。
【００３２】
また、ＭＦＰ２００１は、記憶部の一例として、ジョブを記憶するＨＤＤ１５０等の不揮発性メモリを備えている。ＨＤＤ１５０は、システムソフトウェアや、ジョブのプリントデータや、後述する画像処理部１１２によってＲＧＢの信号に変換された画像データや、後述する圧縮展開部１０８によって圧縮された画像データ等の複数のデータを格納する。尚、本実施形態では、大容量かつ不揮発な記憶装置の例としてＨＤＤ１５０について説明したが、これに限らない。大容量かつ不揮発な記憶装置であるならば、ＳＳＤ（Ｓｏｌｉｄ  Ｓｔａｔｅ  Ｄｒｉｖｅ）などの不揮発性メモリであってもよい。
【００３３】
コントローラ部１０７は、複数の機能を有する。例えば、コントローラ部１０７は、スキャナ部１１１で読み取った原稿２０３の画像データをＨＤＤ１５０に記憶する。そして、コントローラ部１０７は、ＨＤＤ１５０から画像データを読み出す。もしくは、コントローラ部１０７は、ＰＣ２００３からネットワークＩ／Ｆ１４０を介して受信した印刷ジョブをＨＤＤ１５０に記憶する。そして、コントローラ部１０７は、ＨＤＤ１５０からコードデータを読み出して、画像データに変換する。
【００３４】
更に、コントローラ部１０７は、プリンタ部１２１で当該画像データに基づいて画像をシート２０１に印刷するプリント機能を実行する。もしくは、コントローラ部１０７は、スキャナ部１１１で読み取った原稿２０３の画像データをコードデータに変換し、ネットワークＩ／Ｆ１４０を介して、ＰＣ２００３に送信するスキャナ送信機能を実行する。
【００３５】
スキャナ部１１１は、画像処理部１１２、Ａ／Ｄ変換部１１３、ＣＣＤセンサ部１１４、原稿検知センサ１１５、ＣＰＵ１１６、モータ制御部１１７、モータ１１８、及び重送検知センサ１１９を有する。また、スキャナ部１１１は、Ｉ／Ｏ制御部１３０におけるシリアル通信コントローラ１３１を介して電気的に接続されている。
【００３６】
原稿検知センサ１１５は、原稿給送トレイ２０２上に原稿２０３が載置されていることを検知する。尚、原稿検知センサ１１５による検知信号は、コントローラ部１０７のスキャナＩ／Ｆ１１０及びバスコントローラ１０５を介して、ＣＰＵ１０１に伝達される。
【００３７】
モータ１１８は、スキャナ部１１１の後述する原稿給送ローラ２０４、搬送ローラ２０６、大ローラ２０８、ローラ２０９、ローラ２１０、ローラ２１１、及び原稿排出ローラ対２０７の回転を行うために駆動される。また、モータ１１８は、スキャナ部１１１の後述する露光部２１３、及びミラーユニット２１４の移動を行うために駆動される。
【００３８】
尚、モータ１１８による原稿給送ローラ２０４、搬送ローラ２０６、大ローラ２０８、ローラ２０９、及び原稿排出ローラ対２０７等の回転指示は、ＣＰＵ１０１からモータ制御部１１７を介して行われる場合について説明するが、これに限らない。モータ１１８による原稿給送ローラ２０４、搬送ローラ２０６、大ローラ２０８、ローラ２０９、及び原稿排出ローラ対２０７等の回転指示は、スキャナ部１１１のＣＰＵ１１６から直接行われてもよい。
【００３９】
同様に、モータ１１８による露光部２１３、及びミラーユニット２１４等の移動指示は、ＣＰＵ１０１からモータ制御部１１７を介して行われる場合について説明するが、これに限らない。モータ１１８による露光部２１３、及びミラーユニット２１４等の移動指示は、スキャナ部１１１のＣＰＵ１１６から直接行われてもよい。
【００４０】
重送検知センサ１１９は、搬送された原稿２０３に重送が発生したことを検知する。尚、重送検知センサ１１９による検知信号は、コントローラ部１０７のスキャナＩ／Ｆ１１０及びバスコントローラ１０５を介して、ＣＰＵ１０１に伝達される。重送検知センサ１１９の詳細は、図２で後述する。
【００４１】
ＣＣＤセンサ部１１４で読み取られた原稿２０３の画像データは、Ａ／Ｄ変換部１１３によってアナログ信号からデジタル信号に変換される。その後、デジタル信号は画像処理部１１２によってＲＧＢの信号に変換される。ＲＧＢの信号は、コントローラ部１０７のスキャナＩ／Ｆ１１０、及びバスコントローラ１０５を介して、ＲＡＭ１０４に一時格納される。そして、コントローラ部１０７のＣＰＵ１０１の制御により、画像データはＩ／Ｏ制御部１３０を介してＨＤＤ１５０に保存される。
【００４２】
ＨＤＤ１５０に保存された画像データを印刷する場合、コントローラ部１０７のＣＰＵ１０１の制御によって、ＨＤＤ１５０に保存された画像データはＲＡＭ１０４に一時保存される。一時保存された画像データは、その後、画像処理部１０３によってＲＧＢ→ＣＭＹＫ変換などの色空間変換などが行われた後、プリンタＩ／Ｆ１２０を介してプリンタ部１２１へ転送される。尚、プリンタ部１２１は、コントローラ部１０７との通信を制御するプリンタ制御部１２２を有する。さらに、プリンタ部１２１は、印刷に使用するシート２０１を収納する複数のカセットや手差しトレイを備えた給送ユニット（シート収納部）１２３を有する。また、プリンタ部１２１は、Ｉ／Ｏ制御部１３０におけるシリアル通信コントローラ１３１を介して電気的に接続されている。
【００４３】
プリンタ部１２１では、ＨＤＤ１５０に記憶された印刷対象のジョブの印刷処理を実行する。プリンタ部１２１での画像データの印刷指示はコントローラ部１０７からプリンタ制御部１２２を介して行われる。プリンタ部１２１は、給送ユニット１２３から給送されたシート２０１に画像データに基づいて形成されたトナー（現像剤）画像の転写と定着を行い、シート２０１にトナーを用いて画像を形成（印刷）する。尚、転写と定着の詳細は、図２で後述する。
【００４４】
圧縮展開部１０８は、ＪＢＩＧやＪＰＥＧ等といった各種圧縮方式によってＲＡＭ１０４、ＨＤＤ１５０に記憶されている画像データ等を圧縮したり伸張したりする処理を行い、ＲＡＭ１０４に再度格納する画像処理ブロックを有する。圧縮展開部１０８によって圧縮された画像データは、ネットワークＩ／Ｆ１４０を介してＰＣ２００３へ送信する。
【００４５】
尚、コントローラ部１０７は、ネットワークＩ／Ｆ１４０を介して、ＰＣ２００３から画像データを受信する。そして、コントローラ部１０７は、ネットワークＩ／Ｆ１４０を介して受信した画像データをＨＤＤ１５０に格納する際に、当該画像データを圧縮展開部１０８によって圧縮する。一方、コントローラ部１０７は、ＨＤＤ１５０に格納された画像データに基づいて画像をシート２０１に印刷する際に、当該画像データを圧縮展開部１０８によって伸張する。
【００４６】
操作部１６０は、ユーザインタフェース部の一例に該当する。尚、操作部１６０の上面図（図３）に示されるように、操作部１６０は、表示部３０１とキー入力部３０２とを有する。また、操作部１６０は、表示部３０１又はキー入力部３０２を介して、ユーザからの各種設定を受け付ける機能を有する。また、操作部１６０は、表示部３０１を介して、ユーザに情報を提供する機能を有する。
【００４７】
尚、表示部３０１は、ＬＣＤ（Ｌｉｑｕｉｄ  Ｃｒｙｓｔａｌ  Ｄｉｓｐｌａｙ：液晶表示部）と、ＬＣＤ上に貼られた透明電極（静電容量方式でもよい）とを有するタッチパネルシートとで構成される。ＬＣＤには、操作画面が表示される他、ＭＦＰ２００１の状態が表示される。
【００４８】
キー入力部３０２は、ハードキーで構成される。ハードキーには、例えば、ジョブの実行を指示するためのスタートキー３０３がある。
【００４９】
続いて、図１に示したスキャナ部１１１及びプリンタ部１２１の断面図を図２に示す。尚、自動原稿搬送装置（ＡＤＦ：Ａｕｔｏ  Ｄｏｃｕｍｅｎｔ  Ｆｅｅｄｅｒ）によって原稿２０３の画像の読み取り動作（以降、スキャンと呼ぶ）を行う場合について以降説明する。尚、原稿検知センサ１１５によって原稿給送トレイ２０２上に原稿２０３が載置されていることが検知されている場合に、スキャンの実行指示をユーザから受け付けたことに従って、スキャンが開始される。
【００５０】
原稿給送トレイ２０２上に載置された原稿２０３は、対になっている原稿給送ローラ２０４と分離パッド２０５によって、１枚ずつ搬送される。そして、１枚ずつ搬送された原稿２０３は、重送検知センサ１１９を通過する。
【００５１】
重送検知センサ１１９は、搬送された原稿２０３に重送が発生したことを検知する。尚、重送とは、原稿を搬送した際に、２枚以上の原稿２０３の少なくとも一部が重なった状態で搬送される状態のことである。
【００５２】
例えば、超音波を利用した重送検知センサ１１９では、上部センサから超音波を発信し、その変化を下部センサが感知することによって重送を検知する。そして、１枚の原稿２０３が搬送されたときの受信強度を基準にして、実際に検出された信号がこの基準値よりも受信強度が低いときに重送として判断する。尚、本実施形態では、超音波を利用したセンサを重送検知センサ１１９の例として説明するが、重送を検知可能であるならば光学センサを利用してもよい。もしくは、原稿２０３の厚みを測定し、その測定データを基準にして、搬送された原稿２０３に重送が発生しているかどうかを判断してもよい。
【００５３】
重送検知センサ１１９を通過した原稿２０３は、搬送ローラ２０６で装置内に送られる。搬送ローラ２０６により搬送された原稿２０３は、原稿通過検知センサ２１６によって検出される。そして、検出時間に基づいて１枚目の原稿２０３の通過が終了したか否かを判定する。
【００５４】
搬送ローラ２０６で装置内に送られた原稿２０３は、大ローラ２０８とローラ２０９によって搬送され、更に、大ローラ２０８とローラ２１０によって搬送される。そして、原稿ガラス２１２に接触する形で原稿ガイド板２１７との間を通って搬送された原稿２０３は、ジャンプ台２１８を経由した後、大ローラ２０８とローラ２１１によって更に搬送されて、原稿排出ローラ対２０７により原稿排出トレイ２３７に排出される。
【００５５】
尚、原稿給送ローラ２０４、搬送ローラ２０６、大ローラ２０８、ローラ２０９、ローラ２１０、ローラ２１１、及び原稿排出ローラ対２０７は、モータ１１８による駆動によってそれぞれ回転される。
【００５６】
尚、原稿２０３が原稿ガラス２１２上を通過する際に、原稿ガラス２１２に接している面が露光部２１３によって露光されて、原稿２０３の画像が主走査方向、及び、副走査方向に対して読み取られる。その結果得られる原稿２０３からの反射光が複数のミラーを介してミラーユニット２１４に伝達される。そして、伝達された反射光はレンズ２１５を通過し、集光されて、ＣＣＤ（Ｃｈａｒｇｅ  Ｃｏｕｐｌｅｄ  Ｄｅｖｉｃｅ）センサ部１１４によって電気信号に変換される。ＣＣＤセンサ部１１４から出力される画像データは、前述した所定の処理が施された後、コントローラ部１０７へ転送される。
【００５７】
尚、本実施形態では、スキャナ部１１１が備える光学系は、原稿２０３からの反射光をＣＣＤセンサ上に結像する縮小光学系である場合について説明したが、これに限らない。スキャナ部１１１が備える光学系は、原稿２０３からの反射光をＣＩＳ（Ｃｏｎｔａｃｔ  Ｉｍａｇｅ  Ｓｅｎｓｏｒ）上に結像する等倍光学系であってもよい。
【００５８】
尚、スキャナ部１１１によって実行される原稿２０３の画像の読み取り動作は、光学系の位置を固定し、ＡＤＦによって原稿２０３を搬送させながら、原稿２０３の画像を読み取る場合（ＡＤＦ読みと呼ぶ）について説明したが、これに限らない。原稿２２０をプラテンガラス２２１（原稿台）に載置し、原稿２２０の位置を固定させ、モータ１１８の駆動により光学系を移動させることによって原稿２２０の画像を読み取ってもよい（圧板読みと呼ぶ）。
【００５９】
続いて、プリンタ部１２１に転送された画像データに基づいて画像をシート２０１に出力する動作について以降説明する。
【００６０】
プリンタ部１２１に転送された画像データは、レーザユニット２２２によって画像データに応じたレーザ光への変換が行われる。そして、このレーザ光は感光体ドラム２２３〜２２６に照射され、感光体ドラム２２３〜２２６にはレーザ光に応じた静電潜像が形成される。感光体ドラム２２３〜２２６の潜像の部分には、現像ユニット２２７〜２３０によってトナー（現像剤）が付着される。尚、カラー機では、シアン、イエロー、マゼンタ、ブラック用に、感光体ドラム及び現像ユニットは４つずつ備えている。
【００６１】
また、プリンタ部１２１は、給送ユニット１２３を備え、給送ユニット１２３は、シート収納部として、カセット２５１〜２５４、及び、手差しトレイ２５０を有している。尚、カセット２５１〜２５４は、引き出し式の形状になっており、複数枚のシート２０１を収納することができる。一方、手差しトレイ２５０は、差し込み式の形状になっており、複数枚のシート２０１を保持することができる。尚、プリンタ部１２１は、カセット２５１〜２５４、及び手差しトレイ２５０を複数備えていてもよく、カセット２５１〜２５４、又は手差しトレイ２５０のうち、少なくともいずれか一つを備えていればよい。尚、本実施形態におけるＭＦＰ２００１では、例えば、４つのカセット２５１〜２５４と、１つの手差しトレイ２５０を備えているものとして以降説明を進める。
【００６２】
プリンタ部１２１は、カセット２５１〜２５４、及び、手差しトレイ２５０のいずれかからシート２０１を給送する。そして、給送されたシート２０１に対して、感光体ドラム２２３〜２２６に付着したトナー（現像剤）をシート２０１に転写した後、当該シート２０１を定着器２３３に搬送する。そして、熱と圧力によりトナー（現像剤）をシート２０１に定着する。定着器２３３を通過したシート２０１は、搬送ローラ２３４、２３５によって排出トレイ２３６に排出される。
【００６３】
尚、本実施形態に係るＭＦＰ２００１は、感光体ドラム及び現像ユニットを４つずつ備えるカラー機である場合について説明したが、これに限らない。ＭＦＰ２００１は、感光体ドラムと現像ユニットを１つずつ備えるモノクロ機であっても、本発明を同様に適用できる。また、本実施形態に係るＭＦＰ２００１では、電子写真方式で画像をシート２０１に印刷する方法について説明したが、これに限らない。画像をシート２０１に印刷することができるものであれば、例えばインクジェット方式等であってもよく、その他の方法（例えば、熱転写方式等）であってもよい。
【００６４】
続いて、本実施形態に係るＭＦＰ２００１において、コピー機能を利用するための実行画面４００を図４（Ａ）に示す。実行画面４００は、表示部３０１に表示される不図示のメイン画面から、コピー機能を呼び出すためのボタンがユーザによって押下されたことに従って、表示部３０１に表示される。
【００６５】
ユーザは、実行画面４００上で、コピージョブの実行に係る各種の設定情報（例えば、倍率、用紙選択、原稿の種類等）を任意に設定することができる。尚、ユーザによって設定された各種の設定情報は、ＨＤＤ１５０に記憶される。
【００６６】
また、ユーザは、実行画面４００上で、重送検知に関する設定（以降、重送設定と呼ぶ）を行うことができる。尚、ユーザによって設定された重送検知に関する設定情報は、ＨＤＤ１５０に記憶される。尚、実行画面４００上の重送設定ボタン４０１がユーザによって押下されたことに従って、図５に示す設定画面５００が表示部３０１に表示される。
【００６７】
そして、ユーザは、設定画面５００上で、デフォルトの重送設定として「重送設定ＯＮ」又は「重送設定ＯＦＦ」のいずれかを選択することができる。尚、重送設定（デフォルト）がＯＮに設定された場合（５０１）は、重送検知センサ１１９によって原稿２０３の重送が検知されたことに従って、スキャンが中断される。一方、重送設定（デフォルト）がＯＦＦに設定された場合（５０２）は、重送検知センサ１１９によって原稿２０３の重送が検知されたとしても、スキャンが継続される。
【００６８】
尚、重送設定（デフォルト）がＯＮに設定されている場合（５０１）は、図４（Ａ）に示すように実行画面４００上に「設定ＯＮ（４０２）」が表示される。一方、重送設定（デフォルト）がＯＦＦに設定されている場合（５０２）は、図４（Ｂ）に示すように実行画面４００上に「設定ＯＦＦ（４０３）」が表示される。
【００６９】
第１の実施形態では、第１の原稿の画像、及び当該第１の原稿の後に搬送される第２の原稿の画像を読み取るジョブを実行する。当該ジョブの実行中において、重送検知センサ１１９によって第１の原稿の重送を検知したことに従ってスキャンを中断する。そして、重送検知センサ１１９によって第２の原稿の重送が検知された際に、スキャンを中断させないための指示をユーザから受け付けた場合に、第２の原稿の重送が検知されたことによってスキャンを中断しないよう制御するものである。
【００７０】
以下にその詳細を説明する。
【００７１】
第１の実施形態に係るＭＦＰ２００１において、コピージョブの実行指示を受け付けて、受け付けたコピージョブを実行するための一連の処理の詳細について、図６に示したフローチャートを用いて説明する。この処理は、コントローラ部１０７のＣＰＵ１０１が、ＲＯＭ１０２又はＨＤＤ１５０から読み出してＲＡＭ１０４に展開された制御プログラムを実行することで行われる。尚、図４（Ａ）に示す実行画面４００が表示部３０１に表示されていて、且つ、重送設定（デフォルト）がＯＮに設定されている状態で、図６に係る一連の処理が開始される。
【００７２】
Ｓ６０１で、ＣＰＵ１０１は、コピージョブの実行指示を受け付けたか否かを判定する。ＣＰＵ１０１は、受け付けたと判定した場合（Ｓ６０１でＹＥＳ）、Ｓ６０２に処理を進める。一方、ＣＰＵ１０１は、Ｓ６０１でＮＯと判定した場合、受け付けたと判定するまでＳ６０１の処理を繰り返す。尚、図４（Ａ）に示す実行画面４００が表示部３０１に表示されている状態で、スタートキー３０３がユーザによって押下されたことに従って、コピージョブの実行指示が受け付けられる。
【００７３】
Ｓ６０２で、ＣＰＵ１０１は、原稿給送トレイ２０２上に原稿２０３が載置されているか否かを判定する。尚、ＣＰＵ１０１は、原稿給送トレイ２０２上に原稿２０３が載置されていることを、原稿検知センサ１１５による検知信号を受信することによって判断可能である。
【００７４】
ＣＰＵ１０１は、原稿給送トレイ２０２上に原稿２０３が載置されていると判定した場合（Ｓ６０２でＹＥＳ）、Ｓ６０３に処理を進める。一方、ＣＰＵ１０１は、Ｓ６０２でＮＯと判定した場合、図６に係る一連の処理を終了する。
【００７５】
Ｓ６０３で、ＣＰＵ１０１は、原稿２０３の画像の読み取り（スキャン）に係る一連の処理が正常に終了したか否かを表すためのフラグ（以降、スキャン終了フラグと呼ぶ）の値を「ＦＡＬＳＥ」に設定（初期化）する。尚、スキャン終了フラグの値はＨＤＤ１５０に記憶される。
【００７６】
尚、スキャン終了フラグの値が「ＴＲＵＥ」である場合は、スキャンが正常に終了したことを表す。一方、スキャン終了フラグの値が「ＦＡＬＳＥ」である場合は、スキャンが正常に終了しなかったことを表す。例えば、スキャンの中止指示を受け付けた場合や、コピージョブの実行がキャンセルされた場合等において、ＣＰＵ１０１は、スキャンが正常に終了しなかったと判断し、スキャン終了フラグの値を「ＦＡＬＳＥ」で上書きする。
【００７７】
Ｓ６０３の処理を実行した後、Ｓ７００に処理を進める。Ｓ７００で、ＣＰＵ１０１は、スキャンに係る一連の処理を実行する。
【００７８】
続いて、第１の実施形態に係るＭＦＰ２００１において、スキャンに係る一連の処理（Ｓ７００）の詳細について、図７に示したフローチャートを用いて説明する。この処理は、コントローラ部１０７のＣＰＵ１０１が、ＲＯＭ１０２又はＨＤＤ１５０から読み出してＲＡＭ１０４に展開された制御プログラムを実行することで行われる。
【００７９】
Ｓ７０１で、ＣＰＵ１０１は、重送ＯＦＦフラグの値を「ＦＡＬＳＥ」に設定（初期化）して、Ｓ７０２に処理を進める。尚、重送ＯＦＦフラグとは、重送検知センサ１１９によって原稿２０３の重送が検知された場合に、スキャンが終了するまでスキャンを継続するか否かを表すためのフラグのことである。尚、重送ＯＦＦフラグの値は、ＨＤＤ１５０に記憶される。
【００８０】
重送ＯＦＦフラグの値が「ＴＲＵＥ」である場合は、重送検知センサ１１９によって原稿２０３の重送が検知されたとしても、スキャンが終了するまでスキャンが継続される。一方、重送ＯＦＦフラグの値が「ＦＡＬＳＥ」である場合は、重送検知センサ１１９によって原稿２０３の重送が検知されたことに従って、スキャンが中断される。
【００８１】
Ｓ７０２で、ＣＰＵ１０１は、スキャナ部１１１の制御部（ＣＰＵ１１６）に対して、以下の処理を実行するよう指示する（Ｓ７０２）。まず、モータ制御部１１７を介してモータ１１８を駆動させて、原稿給送ローラ２０４、搬送ローラ２０６、大ローラ２０８、ローラ２０９、ローラ２１０、ローラ２１１、及び原稿排出ローラ対２０７を回転させる（Ｓ７０２）。そして、原稿給送トレイ２０２上に載置された原稿２０３を搬送させる（Ｓ７０２）。
【００８２】
Ｓ７０２の処理を実行した後、Ｓ７０３に処理を進める。ＣＰＵ１０１は、スキャナ部１１１の制御部（ＣＰＵ１１６）に対して、以下の処理を実行するよう指示する（Ｓ７０３）。Ｓ７０２で搬送された原稿２０３が原稿ガラス２１２上を通過する際に、原稿ガラス２１２に接している面を露光部２１３によって露光させて、主走査方向及び副走査方向に対して原稿２０３の画像を読み取らせる（Ｓ７０３）。そして、その結果得られる原稿２０３からの反射光を複数のミラーを介してミラーユニット２１４に伝達させる（Ｓ７０３）。そして、伝達された反射光を集光して、ＣＣＤセンサ部１１４によって電気信号に変換させる（Ｓ７０３）。
【００８３】
Ｓ７０３の処理を実行した後、Ｓ７０４に処理を進める。ＣＰＵ１０１は、スキャナ部１１１の制御部（ＣＰＵ１１６）に対して、以下の処理を実行するよう指示する（Ｓ７０４）。ＣＣＤセンサ部１１４から出力される画像データに対して、Ａ／Ｄ変換部１１３によってアナログ信号からデジタル信号に変換させる（Ｓ７０４）。その後、画像処理部１１２によってデジタル信号をＲＧＢの信号に変換させる（Ｓ７０４）。そして、コントローラ部１０７のスキャナＩ／Ｆ１１０、及び、バスコントローラ１０５を介して、ＲＧＢの信号（原稿２０３の画像データ）をコントローラ部１０７に転送させる（Ｓ７０４）。そして、ＣＰＵ１０１は、コントローラ部１０７に転送された原稿２０３の画像データをＲＡＭ１０４に一時格納する（Ｓ７０４）。
【００８４】
Ｓ７０４の処理を実行した後、Ｓ７０５に処理を進める。Ｓ７０５で、ＣＰＵ１０１は、Ｓ７０２で搬送された原稿２０３の重送を重送検知センサ１１９によって検知したか否かを判定する。ＣＰＵ１０１は、重送を検知したと判定した場合（Ｓ７０５でＹＥＳ）、Ｓ７０６に処理を進める。一方、ＣＰＵ１０１は、Ｓ７０５でＮＯと判定した場合、Ｓ７０８に処理を進める。
【００８５】
Ｓ７０６で、ＣＰＵ１０１は、ＨＤＤ１５０に記憶されている設定情報を参照し、重送設定（デフォルト）はＯＮであるか否かを判定する。ＣＰＵ１０１は、重送設定（デフォルト）はＯＮであると判定した場合（Ｓ７０６でＹＥＳ）、Ｓ７０７に処理を進める。一方、ＣＰＵ１０１は、Ｓ７０６でＮＯと判定した場合、Ｓ７０８に処理を進める。
【００８６】
Ｓ７０７で、ＣＰＵ１０１は、ＨＤＤ１５０に記憶されている重送ＯＦＦフラグの値を参照し、重送ＯＦＦフラグの値は「ＴＲＵＥ」であるか否かを判定する。ＣＰＵ１０１は、「ＴＲＵＥ」であると判定した場合（Ｓ７０７でＹＥＳ）、Ｓ７０８に処理を進める。
【００８７】
Ｓ７０８で、ＣＰＵ１０１は、Ｓ７０４でＲＡＭ１０４に一時格納された画像データを読み出してＩ／Ｏ制御部１３０を介して転送し、当該画像データをＨＤＤ１５０に保存する。
【００８８】
Ｓ７０８の処理を実行した後、Ｓ７０９に処理を進める。ＣＰＵ１０１は、原稿検知センサ１１５による検知の有無に基づいて、原稿給送トレイ２０２上に原稿２０３が載置されているか否かを判定する（Ｓ７０９）。ＣＰＵ１０１は、原稿給送トレイ２０２上に原稿２０３が載置されていると判定した場合（Ｓ７０９でＹＥＳ）、Ｓ７０２に処理を戻す。一方、ＣＰＵ１０１は、Ｓ７０９でＮＯと判定した場合、Ｓ７１０に処理を進める。
【００８９】
Ｓ７１０で、ＣＰＵ１０１は、ＨＤＤ１５０に記憶されているスキャン終了フラグの値を「ＴＲＵＥ」として上書きする。Ｓ７１０の処理を実行した後、図７に係る一連の処理（Ｓ７００）を終了し、図６のＳ６０４に処理を進める。
【００９０】
一方、ＣＰＵ１０１は、ＨＤＤ１５０に記憶されている重送ＯＦＦフラグの値を参照し、重送ＯＦＦフラグの値は「ＴＲＵＥ」でないと判定した場合（Ｓ７０７でＮＯ）、Ｓ７１１に処理を進める。
【００９１】
Ｓ７１１で、ＣＰＵ１０１は、スキャナ部１１１の制御部（ＣＰＵ１１６）に対して、スキャンを中断するよう指示する。尚、重送を検知した原稿２０３が原稿排出トレイ２３７に排出される前にスキャンを中断してもよく、重送を検知した原稿２０３が原稿排出トレイ２３７に排出されてからスキャンを中断してもよい。スキャンの中断に伴い、原稿２０３の搬送や、原稿２０３の画像の読み取りを停止させて、Ｓ７１２に処理を進める。
【００９２】
Ｓ７１２で、ＣＰＵ１０１は、Ｓ７０４でＲＡＭ１０４に一時格納された画像データを削除して、Ｓ７１３に処理を進める。
【００９３】
Ｓ７１３で、ＣＰＵ１０１は、図８に示す通知画面８００を表示部３０１に表示して、Ｓ７１４に処理を進める。尚、図８に示す通知画面８００は、重送を検知した原稿２０３や原稿給送トレイ２０２上に残っていた原稿２０３を併せて、原稿給送トレイ２０２上に再度載置するようユーザに促すための画面である。また、通知画面８００は、重送検知センサ１１９によって重送を検知したとしても、スキャンが終了するまではスキャンを継続することをユーザに促すための画面である。
【００９４】
Ｓ７１４で、ＣＰＵ１０１は、スキャンの中止指示を受け付けたか否かを判定する。尚、第１の実施形態では、ＣＰＵ１０１は、例えば、通知画面８００上の中止ボタン８０１がユーザによって押下されたことに従って、スキャンの中止指示を受け付けたと判定する。ＣＰＵ１０１は、スキャンの中止指示を受け付けたと判定した場合（Ｓ７１４でＹＥＳ）、図７に係る一連の処理（Ｓ７００）を終了し、図６のＳ６０４に処理を進める。一方、ＣＰＵ１０１は、Ｓ７１４でＮＯと判定した場合、Ｓ７１５に処理を進める。
【００９５】
Ｓ７１５で、ＣＰＵ１０１は、スキャンの再開指示を受け付けたか否かを判定する。尚、第１の実施形態では、ＣＰＵ１０１は、例えば、操作部１６０上のスタートキー３０３がユーザによって押下されたことに従って、スキャンの再開指示を受け付けたと判定する。また、ＣＰＵ１０１は、例えば、通知画面８００上の再開ボタン８０２がユーザによって押下されたことに従って、スキャンの再開指示を受け付けたと判定する。
【００９６】
ＣＰＵ１０１は、スキャンの再開指示を受け付けたと判定した場合（Ｓ７１５でＹＥＳ）、Ｓ７１６に処理を進める。一方、ＣＰＵ１０１は、Ｓ７１５でＮＯと判定した場合、Ｓ７１４に処理を戻す。
【００９７】
Ｓ７１６で、ＣＰＵ１０１は、ＨＤＤ１５０に記憶されている重送ＯＦＦフラグの値を「ＴＲＵＥ」として上書きして、Ｓ７１７に処理を進める。
【００９８】
Ｓ７１７で、ＣＰＵ１０１は、原稿検知センサ１１５による検知の有無に基づいて、原稿給送トレイ２０２上に原稿２０３が載置されているか否かを判定する。ＣＰＵ１０１は、原稿給送トレイ２０２上に原稿２０３が載置されていると判定した場合（Ｓ７１７でＹＥＳ）、Ｓ７０２に処理を戻す。一方、ＣＰＵ１０１は、Ｓ７１７でＮＯと判定した場合、載置されていると判定するまでＳ７１７の処理を繰り返す。
【００９９】
以上が、第１の実施形態に係るＭＦＰ２００１において、スキャンに係る一連の処理（Ｓ７００）の詳細である。
【０１００】
続いて、図６のＳ６０４において、ＣＰＵ１０１は、ＨＤＤ１５０に記憶されているスキャン終了フラグの値を参照し、スキャン終了フラグの値は「ＴＲＵＥ」であるか否かを判定する。ＣＰＵ１０１は、「ＴＲＵＥ」であると判定した場合（Ｓ６０４でＹＥＳ）、Ｓ６０５に処理を進める。一方、ＣＰＵ１０１は、Ｓ６０４でＮＯと判定した場合、Ｓ６０６に処理を進める。
【０１０１】
ＣＰＵ１０１は、前述したＳ７０８によってＨＤＤ１５０に保存された原稿２０３の画像データを読み出してＩ／Ｏ制御部１３０を介して転送し、ＲＡＭ１０４に一時格納する（Ｓ６０５）。そして、ＣＰＵ１０１は、ＲＡＭ１０４に一時格納された原稿２０３の画像データに基づいて、プリンタ部１２１によって印刷処理を実行するよう指示する（Ｓ６０５）。
【０１０２】
Ｓ６０５の処理を実行した後、Ｓ６０６に処理を進める。Ｓ６０６で、ＣＰＵ１０１は、前述したＳ７０８によってＨＤＤ１５０に保存された原稿２０３の画像データを削除して、図６に係る一連の処理を終了する。
【０１０３】
以上が、第１の実施形態に係るＭＦＰ２００１において、コピージョブの実行指示を受け付けて、受け付けたコピージョブを実行するための一連の処理の詳細である。
【０１０４】
以上説明したように、第１の実施形態では、第１の原稿の画像、及び当該第１の原稿の後に搬送される第２の原稿の画像を読み取るジョブを実行する。当該ジョブの実行中において、重送検知センサ１１９によって第１の原稿の重送を検知したことに従ってスキャンを中断する。そして、重送検知センサ１１９によって第２の原稿の重送が検知された際に、スキャンを中断させないための指示をユーザから受け付けた場合に、第２の原稿の重送が検知されたことによってスキャンを中断しないよう制御することができる。そのため、第２の原稿の重送を検知したことによるユーザの意図しない処理（例えば、原稿２０３の搬送の停止や、原稿２０３の画像の読み取りの停止、又は、ユーザの指示の受け付けを要する確認画面の表示等）が行われることを防ぐことができる。
【０１０５】
尚、原稿２０３が封筒や付箋付きのシートである場合、原稿２０３が正しく搬送されたとしても、重送検知センサ１１９は重送を検知する。なぜなら、封筒や付箋付きのシートは、２枚のシートが重なっているからである。その為、本発明を適用した第１の実施形態は、例えば、封筒や付箋付きのシートの原稿２０３をスキャンする場合において、重送を頻繁に検知したとしても、その都度、スキャンを再開するための指示を待たずにスキャンを継続することができ、より効果的である。
【０１０６】
尚、重送検知センサ１１９によって重送を複数回検知した場合は、重送が頻繁に検知される原稿２０３とみなされる。前述したように例えば、封筒は、重送が頻繁に検知される原稿２０３である。
【０１０７】
そこで、例えば、重送検知センサ１１９によって原稿２０３の重送を検知した回数をカウントアップする。尚、重送を検知した回数をカウントアップするためのカウンタはＨＤＤ１５０に記憶される。尚、原稿２０３の重送を検知した回数は、ＰＣ２００３等の外部装置から取得してもよい。そして、重送検知センサ１１９によって原稿２０３の重送をＮ回（複数回）検知するまでは、原稿２０３の重送を検知したことに従って、スキャンを中断する。一方、重送検知センサ１１９によって原稿２０３の重送をＮ回（複数回）以上検知されたことに従って、以降、重送が再度検知されてもスキャンは中断されずに継続するよう制御してもよい。尚、Ｎの値は、ＭＦＰ２００１固有の所定の値であってもよく、もしくは、不図示の設定画面によってユーザが任意に設定可能な値であってもよい。
【０１０８】
［第２の実施形態］
前述した第１の実施形態では、第１の原稿、及び第１の原稿の後に搬送される第２の原稿をスキャンするジョブの実行中において、重送検知センサ１１９によって第１の原稿の重送を検知したことに従ってスキャンを中断する。そして、重送検知センサ１１９によって第２の原稿の重送が検知された際に、スキャンを中断させないための指示をユーザから受け付けた場合に、第２の原稿の重送が検知されたことによってスキャンを中断しないよう制御する場合について説明した。
【０１０９】
一方、第２の実施形態では、当該ジョブの実行中において、重送検知センサ１１９によって第１の原稿の重送を検知したことに従ってスキャンを中断する。そして、スキャンの再開方法をユーザに任意に選択させる場合について以降説明する。尚、ユーザが選択可能なスキャンの再開方法として、「重送を検知するたびにスキャンを中断する」、「重送を検知してもスキャンが終了するまでスキャンを継続する」、又は「現在の原稿（１枚）のみ重送を検知してもスキャンを継続する」のいずれかである。
【０１１０】
第２の実施形態に係るＭＦＰ２００１では、スキャンに係る一連の処理（Ｓ７００）の一部が第１の実施形態（図７）とは異なる。
【０１１１】
そこで、第１の実施形態とは異なる処理を中心に図９で説明する。尚、第１の実施形態とは共通となる処理は同一のステップ番号を付して、詳細の説明は省略する。
【０１１２】
図９に示すように、Ｓ７００の処理の開始にあたり、まず、Ｓ９０１で、ＣＰＵ１０１は、第１の重送ＯＦＦフラグの値、及び、第２の重送ＯＦＦフラグの値をそれぞれ「ＦＡＬＳＥ」に設定（初期化）して、Ｓ７０２に処理を進める。尚、第１の重送ＯＦＦフラグの値、及び第２の重送ＯＦＦフラグの値は、それぞれＨＤＤ１５０に記憶される。
【０１１３】
尚、第１の重送ＯＦＦフラグとは、重送検知センサ１１９によって原稿２０３の重送が検知された場合に、スキャンが終了するまでスキャンを継続するか否かを表すためのフラグのことである。また、第２の重送ＯＦＦフラグとは、現在の原稿（１枚）のみに対して、重送検知センサ１１９によって原稿２０３の重送が検知されてもスキャンを継続するか否かを表すためのフラグである。
【０１１４】
尚、第１の重送ＯＦＦフラグの値が「ＴＲＵＥ」である場合は、重送検知センサ１１９によって原稿２０３の重送が検知された場合に、スキャンが終了するまでスキャンを継続することを表す。一方、第１の重送ＯＦＦフラグの値が「ＦＡＬＳＥ」である場合は、重送検知センサ１１９によって原稿２０３の重送が検知されたことに従って、スキャンが中断されることを表す。
【０１１５】
一方、第２の重送ＯＦＦフラグの値が「ＴＲＵＥ」である場合は、現在の原稿（１枚）のみに対して、重送検知センサ１１９によって原稿２０３の重送が検知されてもスキャンを継続することを表す。一方、第２の重送ＯＦＦフラグの値が「ＦＡＬＳＥ」である場合は、現在の原稿に対して、重送検知センサ１１９によって原稿２０３の重送が検知されたことに従って、スキャンが中断されることを表す。
【０１１６】
また、図９に示すように、Ｓ７０６で、ＣＰＵ１０１は、ＹＥＳと判定したならば、Ｓ９０２に処理を進める。
【０１１７】
ＣＰＵ１０１は、ＨＤＤ１５０に記憶されている第１の重送ＯＦＦフラグ、及び第２の重送ＯＦＦフラグの値をそれぞれ参照する（Ｓ９０２）。そして、ＣＰＵ１０１は、第１の重送ＯＦＦフラグ、又は第２の重送ＯＦＦフラグの値のいずれかが「ＴＲＵＥ」であるか否かを判定する。ＣＰＵ１０１は、いずれかが「ＴＲＵＥ」であると判定した場合（Ｓ９０２でＹＥＳ）、Ｓ７０８に処理を進める。一方、ＣＰＵ１０１は、Ｓ９０２でＮＯと判定した場合、Ｓ７１１に処理を進める。
【０１１８】
また、図９に示すように、Ｓ７１２の処理の後、Ｓ９０４に処理を進める。
【０１１９】
Ｓ９０４で、ＣＰＵ１０１は、図１０に示す通知画面１０００を操作部１６０に表示して、Ｓ９０５に処理を進める。
【０１２０】
尚、図１０の通知画面１０００は、重送を検知した原稿２０３や原稿給送トレイ２０２上に残っていた原稿２０３を併せて、原稿給送トレイ２０２上に再度載置するようユーザに促すための画面である。
【０１２１】
また、通知画面１０００は、スキャンの再開方法を任意に選択するようユーザに促すための画面である。尚、スキャンの再開方法は、「重送を検知するたびにスキャンを中断（１００１）」、「重送を検知してもスキャンが終了するまでスキャンを継続（１００２）」、又は「現在の原稿（１枚）のみ重送を検知してもスキャンを継続（１００３）」のいずれかである。
【０１２２】
Ｓ９０５で、ＣＰＵ１０１は、スキャンの中止指示を受け付けたか否かを判定する。尚、Ｓ９０５の処理は、第１の実施形態で前述した図７のＳ７１４に対応する。尚、第２の実施形態では、ＣＰＵ１０１は、例えば、図１０の通知画面１０００上の中止ボタン１００４がユーザによって押下されたことに従って、スキャンの中止指示を受け付けたと判定する。
【０１２３】
ＣＰＵ１０１は、スキャンの中止指示を受け付けたと判定した場合（Ｓ９０５でＹＥＳ）、図９に係る一連の処理を終了し、図６のＳ６０４に処理を進める。一方、ＣＰＵ１０１は、ＮＯと判定したならば、Ｓ９０６に処理を進める。
【０１２４】
Ｓ９０６で、ＣＰＵ１０１は、スキャンの再開指示を受け付けたか否かを判定する。尚、Ｓ９０６の処理は、第１の実施形態で前述した図７のＳ７１５に対応する。尚、第２の実施形態では、ＣＰＵ１０１は、図１０の通知画面１０００上の再開ボタン１００５、又は、図３の操作部１６０上のスタートキー３０３がユーザによって押下されたことに従って、スキャンの再開指示を受け付けたと判定する。
【０１２５】
ＣＰＵ１０１は、スキャンの再開指示を受け付けたと判定した場合（Ｓ９０６でＹＥＳ）、Ｓ９０７に処理を進める。一方、ＣＰＵ１０１は、ＮＯと判定したならば、Ｓ９０５に処理を戻す。
【０１２６】
Ｓ９０７で、ＣＰＵ１０１は、スキャンの再開方法が前述した３つのうちのいずれかであるかを判定する。尚、スキャンの再開方法は、前述したとおり、図１０の通知画面１０００からユーザによって任意に選択される。
【０１２７】
Ｓ９０７での判定の結果、ＣＰＵ１０１は、スキャンの再開方法が「重送を検知するたびにスキャンを中断（１００１）」であると判定した場合、Ｓ７１７に処理を進める。一方、Ｓ９０７での判定の結果、ＣＰＵ１０１は、スキャンの再開方法が「重送を検知してもスキャンが終了するまでスキャンを継続（１００２）」であると判定した場合、Ｓ９０８に処理を進める。一方、Ｓ９０７での判定の結果、ＣＰＵ１０１は、スキャンの再開方法が「現在の原稿（１枚）のみ重送を検知してもスキャンを継続（１００３）」であると判定した場合、Ｓ９０９に処理を進める。
【０１２８】
Ｓ９０８で、ＣＰＵ１０１は、ＨＤＤ１５０に記憶されている第１の重送ＯＦＦフラグの値を「ＴＲＵＥ」として、Ｓ７１７に処理を進める。
【０１２９】
一方、Ｓ９０９で、ＣＰＵ１０１は、ＨＤＤ１５０に記憶されている第２の重送ＯＦＦフラグの値を「ＴＲＵＥ」として、Ｓ７１７に処理を進める。
【０１３０】
以上が、第２の実施形態に係るＭＦＰ２００１において、スキャンに係る一連の処理のうち、第１の実施形態（図７）とは異なる処理の詳細である。
【０１３１】
以上説明したように、第２の実施形態では、及び第１の原稿の後に搬送される第２の原稿をスキャンするジョブの実行中において、重送検知センサ１１９によって第１の原稿の重送を検知したことに従ってスキャンを中断する。そして、ユーザは、スキャンの再開方法を任意に選択することができる。このように本発明を適用した第２の実施形態は、スキャンする原稿２０３の種類や特性等をユーザが考慮し、重送を検知した際に、例えばスキャンを再開するための指示を待たずにスキャンを継続するかどうかを任意に決定できるため、ユーザの利便性が向上する。
【０１３２】
本発明は上記実施形態に限定されるものではなく、本発明の趣旨に基づき種々の変形（各実施形態の有機的な組合せを含む）が可能であり、それらを本発明の範囲から除外するものではない。
【０１３３】
例えば、本実施形態では、原稿給送トレイ２０２上に載置された原稿２０３の画像を原稿ガラス２１２上で読み取る場合について説明したが、これに限らない。原稿台に載置された原稿２２０の画像をプラテンガラス２２１上で読み取る場合についても同様に本発明を適用することができる。
【０１３４】
また、本実施形態では、コピージョブの実行指示を受け付けて、受け付けたコピージョブを実行する場合について説明したが、これに限らない。ジョブの実行において、原稿２０３を搬送し、搬送された原稿２０３の画像の読み取る動作が含まれていればよく、例えば、原稿２０３の画像を読み取って生成した画像データをＰＣ２００３に送信するジョブについても同様に本発明を適用することができる。
【０１３５】
また、本実施形態では、重送設定（デフォルト）がＯＦＦに設定された場合は、重送検知センサ１１９によって原稿２０３の重送が検知されても、スキャンを継続するものとして説明したが、これに限らない。重送設定（デフォルト）がＯＦＦに設定された場合は、重送検知センサ１１９からの信号を受けないようにスイッチを切ることによって、原稿２０３の重送自体を検知しないようにしても同様に本発明を適用することができる。
【０１３６】
また、本実施形態では、外部装置としてＰＣ２００３を例に挙げて説明したが、ＰＤＡやスマートフォン等の携帯情報端末、ネットワーク接続機器、又は外部専用装置等であっても良い。
【０１３７】
また、本実施形態では、ＭＦＰ２００１のコントローラ部１０７のＣＰＵ１０１が上記各種制御の主体となっていたが、ＭＦＰ２００１と別筐体の外付けコントローラ等の印刷制御装置によって、上記各種制御の一部又は全部を実行可能に構成しても良い。
【０１３８】
以上、本発明の様々な例と実施形態を示して説明したが、当業者であれば、本発明の趣旨と範囲は、本明細書内の特定の説明に限定されるのではない。
【０１３９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４０】
２００１  ＭＦＰ
１０１  ＣＰＵ
１０７  コントローラ部
１１１  スキャナ部
１１７  モータ制御部
１１９  重送検知センサ
８００  通知画面
【図１】
0006033257.tif 000002
【図２】
0006033257.tif 000003
【図３】
0006033257.tif 000004
【図４】
0006033257.tif 000005
【図５】
0006033257.tif 000006
【図６】
0006033257.tif 000007
【図７】
0006033257.tif 000008
【図８】
0006033257.tif 000009
【図９】
0006033257.tif 000010
【図１０】
0006033257.tif 000011